(57)【要約】  本発明によれば、足のいやな匂いを阻害できる物質が提供され、この物質は、硫黄元素、好ましくは微細化状態の硫黄元素からなる。それは、脱臭したい部分に（直接的に又は間接的に）接触することを目的とした靴下、ストッキング、又は任意の他の布地若しくは履物製品に有利に適用できる。この目的を達成するために、支持体への安定した固定を実現し、時間が経過しても活性成分が持続的に放出され、その後の洗浄後にさえも放出されることを主眼として、活性成分は他の物質と配合されている。【特許請求の範囲】
【請求項１】
活性脱臭成分を使用してヒトの足の匂いを処置する方法であって、前記活性成分は、硫黄元素またはいずれの場合においても硫黄元素を遊離できる物質からなることを特徴とする、前記方法。
【請求項２】
前記活性成分は、足に履くことを目的とした布地及び／又は履物製品を処置するため、又は部分的に若しくは全体的に含浸させるために利用される、請求項１に記載の方法。
【請求項３】
前記布地製品は、前記活性成分の他に、前記活性成分を前記製品に安定して固定することができかつ時間の経過と共に徐々にそれを放出できる樹脂を含む組成物で処置又は含浸されている、請求項２に記載の方法。
【請求項４】
前記活性成分及び前記樹脂は、非水性組成物中に分配されており、その非水性組成物を用いて前記製品は含浸又は噴霧されている、請求項３に記載の方法。
【請求項５】
前記活性成分及び前記樹脂は、水浴中に分配されており、その中に、前記製品が浸漬される、請求項３又は４に記載の方法。
【請求項６】
前記水浴中の前記活性成分は、０．３〜１．０ｇ／ｌの濃度を有し、前記樹脂はケイ素樹脂であり、約１０〜２０ｇ／ｌの濃度を有し、前記水浴は、それぞれ約１０〜２０ｇ／ｌ及び約２〜５ｇ／ｌの濃度を有する陽イオン界面活性剤及び柔軟剤も含む、請求項５に記載の方法。
【請求項７】
前記水浴は、少なくとも４０℃の温度とする、請求項６に記載の方法。
【請求項８】
前記活性成分は、５〜１０ｇ／ｌの濃度を有し、非イオン性界面活性剤で乳化されており、前記樹脂は、乳化アクリル樹脂であり、約３〜５ｇ／ｌの濃度を有し、前記浴は、ウールを基礎とした製品の場合には酢酸を用いて僅かに酸性としたｐＨを、または、セルロースを基礎とした製品の場合には中性ｐＨを有する、請求項５に記載の方法。
【請求項９】
前記布地製品を、前記浴の後に、絞って、少なくとも約１５０℃の温度で乾燥させて、前記アクリル樹脂を重合させる、請求項８に記載の方法。
【請求項１０】
前記活性成分は、靴又はその一部を合わせるために利用される接着剤と混合される、請求項２に記載の方法。
【請求項１１】
前記活性成分は、湿潤可能な微細化硫黄である、請求項１〜１０のいずれか一項に記載の方法。
【請求項１２】
活性脱臭成分を使用してヒトの足の脱臭処置をするための組成物であって、前記活性成分は硫黄元素であることを特徴とする、前記組成物。
【請求項１３】
前記活性成分の他に、前記活性成分を前記製品に安定して固定することができかつ時間の経過と共に徐々にそれを放出できる樹脂も含む、足に履くことを目的とした布地及び／又は履物製品を、部分的に又は完全に処置するために使用できる、請求項１２に記載の方法。
【請求項１４】
前記製品が浸漬されている前記水浴中に分配された前記活性成分及び前記樹脂を含む、請求項１３に記載の方法。
【請求項１５】
前記活性成分は、０．３〜１．０ｇ／ｌの濃度を有し、前記樹脂はケイ素樹脂であり、約１０〜２０ｇ／ｌの濃度を有し、前記水浴はまた、それぞれ約１０〜２０ｇ／ｌ及び約２〜５ｇ／ｌの濃度を有する陽イオン界面活性剤および柔軟剤も含む、請求項１４に記載の方法。
【請求項１６】
前記活性成分は、５〜１０ｇ／ｌの濃度を有し、非イオン界面活性剤で乳化されており、前記樹脂は、乳化アクリル樹脂であり、約３〜５ｇ／ｌの濃度を有し、前記浴は、ウールを基礎とした製品の場合には酢酸を用いて僅かに酸性としたｐＨを、または、セルロースを基礎とした製品の場合には中性ｐＨを有する、請求項１４に記載の方法。
【請求項１７】
前記組成物は、等しい比率のワセリンおよびラノリンと混合された約３重量％の硫黄元素を含む、局所適用のための脱臭クリームである、請求項１２に記載の方法。
【請求項１８】
前記活性成分は、湿潤可能な微細化硫黄である、請求項１２〜１７に記載の方法。
【請求項１９】
請求項１２〜１８のいずれか一項に記載の組成物で、完全に若しくは部分的に含浸又は処置された布地及び／又は履物製品。
【発明の詳細な説明】
【技術分野】
【０００１】
発明の分野
本発明は、特にであって専らではないが、靴下、ストッキング、及び履物製品に適用した場合に、足のいやな匂いを完全に消失できる物質の使用に関する。したがって、また、本発明は、前記物質で処置される布地、履物、又は公衆衛生製品にも拡張される。
【背景技術】
【０００２】
従来技術の記載
我々の足は、履物を脱いだ時、特に丸一日履いた後には、いやな匂いを発散することがあることは公知である。この現象は、使用した靴が、ゴム、又は、いずれの場合においても蒸発を妨げる合成材料により製造されている場合にはさらにより知覚できる。一定の時間使用した後に、靴にその匂いが染み込むようになる傾向があり、したがって、それ自体いやな匂いの根源となる傾向がある。
【０００３】
現在では、この厄介な不便に対する真の効果的な治療法は全く存在しない。実際に、今日、市場で入手可能な製品の中で、いやな匂いをほんの僅かでも何とか減弱する製品は殆どなく、よって、これらの製品の使用から得られる意義ある改善を心から評価できない。それ故、足のいやな匂いの問題は、今日まで解決法がなかった。
【０００４】
これに関連した様々な研究により、足により放出されるいやな匂いは、嫌気性環境で増殖し、特に最適な生息地である、体温での、３番目と４番目と５番目の足指の間の間隙において見られる、チネア・ペディス（Ｔｉｎｅａ  ｐｅｄｉｓ）として知られる特定の種類の真菌に起因することが示された。事実、ここが足の最も露出が少なく換気の少ない領域であり、ここで根を張り、同じ足の発汗および洗浄の両方から来る湿気に耐える。
【０００５】
湿度、結果として真菌の増殖および真菌が発するいやな匂いも、明らかに、発汗が増加するにつれて増加する。発汗の強度は、個々の素因だけでなく、明らかに履いている靴の種類にも関係する。スポーツシューズは、蒸発を妨害する傾向があり、それから派生する特に豊富な発汗と、嫌気環境および温度条件（約３７℃、すなわち体温に等しい）とが一緒になって、チネア・ペディスの増殖に特に好ましい状況となることは公知である。
【発明の開示】
【発明が解決しようとする課題】
【０００６】
出願人は、今回、この真菌の増殖を完全に阻害でき、それ故、足の発汗に起因するいやな匂いを完全に消失させることもできる、活性成分を同定することにより、前記に概略を示した問題の完全に効果的な解決法を発見した。
【課題を解決するための手段】
【０００７】
本発明によれば、足のいやな匂いを阻害できる物質は、硫黄元素、好ましくは微細化状態の硫黄元素により構成される。この形態において、好ましくは、脱臭すべき部分と直接的にまたは間接的に接触することを目的とした、靴下、ストッキング、または任意の他の布地もしくは履物製品に適用される。この目的を達成するために、支持体への安定した固定を実現し、時間が経過しても活性成分が持続的に放出され、一連の洗浄後にさえも放出されることを主眼として、活性成分は他の物質と配合されている。
【発明の効果】
【０００８】
ここで記載したように処置された靴下により、スポーツシューズを使用した骨の折れる日の後にさえも、足からいやな匂いがなくなる。この目的のために処置靴下を履かせた、この種類の問題を特に起こしがちである人に対して実施した実験試験により、いやな匂いの完全な消滅が実証された。さらに、繰り返し靴下を洗浄しても、知覚可能な脱臭特性の崩壊はもたらされなかった。着用者の有害物に対するあらゆる種類のアレルギー徴候も、どの試験によっても判明しなかった。
【発明を実施するための最良の形態】
【０００９】
好ましい実施形態の記載
本発明の特徴及び利点は、以下のその実施形態の記載によってより明確になり、これは、単に説明のために記載されており、いずれにしても限定的なものとして捉えるべきではない。
【００１０】
すでに前記に示唆したように、本発明は、使用中に不快な匂いの付かない履物物品を得るために、足と直接的に又は間接的に接触する物品、それ故、靴下、ストッキング、靴の中底を処置するために使用する脱臭組成物の調製において、最も実のある実践的な適用（これは唯一ではないが）を見出す。全てのこれらの場合において、処置は、好ましくは、市販される前に、さらには、靴の足底、上部、または他の部分の場合には、靴が実際に製造される前または最中に、物品の製造者により行なわれる。
【００１１】
活性成分を靴下に適用するための脱臭組成物の簡単な例は、以下を含む水溶液からなる：
０．２〜０．３ｇ／ｌの湿潤可能な硫黄元素（活性成分）、好ましくは微細化硫黄元素；
１０〜２０ｇ／ｌの樹脂、例えばケイ素樹脂；
１０〜２０ｇ／ｌの陽イオン界面活性剤、例えば一般的なダイの固定剤；
２〜５ｇ／ｌの柔軟剤、例えば芳香を放つヘンケル（Ｈｅｎｋｅｌ）（登録商標）柔軟剤。
【００１２】
処置する靴下は、数分間、ウールを含む繊維材料が関与する場合には約４０℃に、又は、他の材料の場合には約９０℃にした、このように調製した浴中に浸漬する。しかし、処置時間及び温度、組成物の処方も、使用する具体的な機械により変更し得る。前記に提供した指摘は、例えば、遠心洗浄機で処置する場合には最適であると考えられる。処置は、濯ぎ、乾燥、及び遠心という簡潔な局面により、布地繊維の種類により変更し得る温度でさらにもう一度実施することにより完了する。さらに、水浴は、組成物を既知の種類の噴出装置により物品へと噴霧する局面に置き換えることもできる。
【００１３】
代替的に、活性成分はまた、衣類の物品を実際に製造する前に、すなわち、これらの物品が製造される元の織物に適用してもよい。これは、例えば、５〜１０ｇ／ｌの乳化形態の活性成分を、非イオン界面活性剤、３〜５ｇ／ｌの乳化アクリル樹脂と共に含み、ウールを基礎とした織物の場合には酢酸により僅かに酸性とし（ｐＨ＝５）、又は、セルロースを基礎とした織物の場合には中性ｐＨの浴を用いて、フーラード機械で含浸を実施することにより、連続操作様式で実施できる。絞った後、織物を、アクリル樹脂の重合を確実にするのに必要である少なくとも約１５０℃の温度で、「ラメウス（Ｒａｍｅｕｓｅ）」機械で乾燥する。
【００１４】
前記に示唆した組成物において、前記樹脂は、明らかに、前記活性成分を前記布地繊維に固定し、成分を保持し、したがって、その後の洗浄に抵抗性とする基本的な機能を有する。微細化状態において、硫黄は、非常に緩慢に放出され、したがって、時間の経過と共にその脱臭作用が確実となる。ケイ素樹脂もアクリル樹脂も、認識可能なほどの繊維の柔軟性特徴の変化を引き起こさず、それ故、この目的に特に適している。しかし、他の種類の樹脂も使用し得、適切な比率で配合されてさえいる、ブタジエンを主成分とした樹脂も好例である。
【００１５】
ウールを基礎とした材料の場合、ラジカル型の重合機構を有するもののように、低温で重合できる樹脂を使用することが好ましい。いずれの場合においても、柔軟剤は、樹脂の存在から派生する起こり得る硬化問題を減弱するのに役立ち得る。界面活性剤は、明らかに、硫黄の繊維材料への固定力を増加するのに寄与する。
【００１６】
布地繊維への適用は、例えば典型的には前記した様式によると、本発明の実施に対する特に有利な低減を示す。なぜなら、これもまた完全に匂いのない、支持材料の外見又は元来の柔軟性をいずれにしても変化させることなく、脱臭作用の最適な効力を確実にするからである。しかし、この適用は、様々な様式を用いて、特に目的とする様々な材料及びそれ故使用する様々な機械にも従って実施できる。例えば、後者は、浴の運動がより穏やかで、したがって、ウール繊維からなる材料の物理的変化が回避される、いわゆる「ダッチ（Ｄｕｔｃｈ）機械」を含む。
【００１７】
すでに記載したように、本発明の別の可能性ある有利な使用は、特に、足と接触することを目的とした靴の中底の布地裏地を、前記の様式の１つに従って処置することによる、靴への直接的な、硫黄を主成分とした組成物の適用を想定する。代替的にまたはそれに加えて、硫黄元素は、靴の中底の基材（一般にポリウレタン）に布地裏地を固定するために使用される接着剤と混合することができる。
【００１８】
一般的に公衆衛生分野において、局所に使用するための脱臭クリームは、硫黄元素、または、硫黄元素を主成分とした物質を、必要な密度および均一度を得るに適切な比率のワセリンまたはラノリンと混合することにより得ることができる。典型的な組成によれば、例えば、約３重量％の硫黄元素を、等しい比率のワセリンおよびラノリンと混合する。また、活性成分を布地材料へと固定するための前記した方法の１つに従って、帯状片及び収縮性包帯に脱臭特性を付与することもできる。
【００１９】
いずれの場合においても、好ましい実施形態の根底にある特定の適用手順は、本発明を限定する特徴と理解してはならない。その最も一般的な表現において、実際に、本発明は、足のいやな匂いを発生する真菌の増殖を阻害でき、不耐またはアレルギー反応に関する着用者に望ましくない効果を一切もたらすことなく、一日中足が靴に入っていた場合でさえも、それを完全に消失することのできる、活性成分を同定することに存する。また、問題の活性成分は、不活性であることとは別に、皮脂腺分泌物とは相互作用せず、それ故、衛生的および公衆衛生的観点から完全に耐容性であることを注記すべきである。
【００２０】
したがって、本発明の保護的範囲は、足の脱臭のための硫黄元素のあらゆる使用を含むが、前記範囲から逸脱することなく、糸、様々な組成物からなる服、ストッキング、靴下など、履物製品のような布地製品、また公衆衛生部門の布地製品へのその適用の手順に、改変及び／又は変更を行なうことができる。
【手続補正書】
【提出日】平成17年2月11日(2005.2.11)
【手続補正１】
【補正対象書類名】特許請求の範囲
【補正対象項目名】全文
【補正方法】変更
【補正の内容】
【特許請求の範囲】
【請求項１】
硫黄元素又はいずれの場合においても硫黄元素を遊離できる物質からなる活性脱臭成分を使用して、ヒトの足に履くことを目的とした布地及び／又は履物製品を処置する、又は部分的に若しくは全体的に含浸させる方法であって、前記製品は、前記活性成分の他に、前記活性成分を前記製品に安定して固定することができかつ時間の経過と共に徐々にそれを放出できるポリマー結合剤を含む組成物で処置又は含浸されていることを特徴とする、前記方法。
【請求項２】
前記ポリマー結合剤は、アクリル、ケイ素、ブタジエン、又はポリウレタン樹脂であり、前記活性成分及び前記樹脂は、非水性組成物中に分配されており、その非水性組成物を用いて前記製品は含浸又は噴霧される、請求項１に記載の方法。
【請求項３】
前記ポリマー結合剤は、アクリル、ケイ素、ブタジエン、又はポリウレタン樹脂であり、前記活性成分及び前記樹脂は、水浴中に分配されており、その水浴中に前記製品が浸漬される、請求項１に記載の方法。
【請求項４】
水浴中の前記活性成分は、０．３〜１．０ｇ／ｌの濃度を有し、前記樹脂は、ケイ素樹脂であり、約１０〜２０ｇ／ｌの濃度を有し、前記水浴は、また、それぞれ約１０〜２０ｇ／ｌ及び約２〜５ｇ／ｌの濃度を有する陽イオン界面活性剤及び柔軟剤も含む、請求項３に記載の方法。
【請求項５】
前記水浴は、少なくとも４０℃の温度とする、請求項４に記載の方法。
【請求項６】
前記活性成分は、５〜１０ｇ／ｌの濃度を有し、非イオン界面活性剤で乳化されており、前記樹脂は乳化アクリル樹脂であり、約３〜５ｇ／ｌの濃度を有し、前記浴は、ウールを基礎とした製品の場合には酢酸を用いて僅かに酸性としたｐＨを有する、又は、セルロースを基礎とした製品の場合には中性ｐＨを有する、請求項３に記載の方法。
【請求項７】
前記布地製品を、前記浴の後に、絞って、少なくとも約１５０℃の温度で乾燥させて、前記アクリル樹脂を重合させる、請求項６に記載の方法。
【請求項８】
前記ポリマー結合剤は、靴又はその一部を合わせるために利用される接着剤である、請求項１に記載の方法。
【請求項９】
前記活性成分は、湿潤可能な微細化硫黄である、請求項１〜８のうちいずれか一項に記載の方法。
【請求項１０】
ヒトの足に履くことを目的とした布地及び／又は履物製品を部分的に又は完全に処置するための組成物であり、硫黄元素又はいずれの場合においても硫黄元素を遊離できる物質からなる活性脱臭成分を利用する組成物であって、前記活性成分の他に、前記活性成分を前記製品に安定して固定することができかつ時間の経過と共に徐々にそれを放出するポリマー結合剤を含むことを特徴とする、前記組成物。
【請求項１１】
前記ポリマー結合剤は、アクリル、ケイ素、ブタジエン、又はポリウレタン樹脂であり、前記活性成分及び前記樹脂は、水浴中に分配されており、その水浴中に前記製品が浸漬される、請求項１０に記載の組成物。
【請求項１２】
前記活性成分は、０．３〜１．０ｇ／ｌの濃度を有し、前記樹脂は、ケイ素樹脂であり、約１０〜２０ｇ／ｌの濃度を有し、前記水浴は、それぞれ約１０〜２０ｇ／ｌおよび約２〜５ｇ／ｌの濃度を有する陽イオン界面活性剤及び柔軟剤も含む、請求項１１に記載の組成物。
【請求項１３】
前記活性成分は、５〜１０ｇ／ｌの濃度を有し、非イオン界面活性剤で乳化されており、前記樹脂は、乳化アクリル樹脂であり、約３〜５ｇ／ｌの濃度を有し、前記浴は、ウールを基礎とした製品の場合には酢酸を用いて僅かに酸性としたｐＨを有する、又は、セルロースを基礎とした製品の場合には中性ｐＨを有する、請求項１１に記載の組成物。
【請求項１４】
前記活性成分は、湿潤可能な微細化硫黄である、請求項１０〜１３のうちいずれか一項に記載の組成物。
【請求項１５】
請求項１０〜１４のいずれか一項に記載の組成物で完全に若しくは部分的に含浸又は処置された布地及び／又は履物製品。
【国際調査報告】
2007510817.tif 000002
2007510817.tif 000003
2007510817.tif 000004
2007510817.tif 000005